(57)【要約】【課題】ボックスの傾きにかかわらず、表示器本体及びフェースプレートのそれぞれの傾きを調整することができるエレベータ用表示器を得る。【解決手段】表示器４は、開口部５ａが設けられたボックス５と、ボックス５内に設けられたヒンジ６と、ヒンジ６によりボックス５内に回動可能に設けられた表示器本体７と、表示器本体７の下部から突出し、表示器本体７からの突出量を調整することにより、ボックス５に対して表示器本体７を回動させてボックス５に対する表示器本体７の傾きを調整する調整ボルト８と、表示器本体７に保持され、ボックス５の開口部５ａを塞ぐフェースプレート９を備えている。【選択図】図３
2013216465.tif 000002
【特許請求の範囲】
【請求項１】
開口部が設けられたボックス、
上記ボックス内に設けられたヒンジ、
上記ヒンジにより上記ボックス内に回動可能に設けられた表示器本体、
上記表示器本体の下部から突出し、上記表示器本体からの突出量を調整することにより、上記ボックスに対して上記表示器本体を回動させて上記ボックスに対する上記表示器本体の傾きを調整する調整部材、及び
上記表示器本体に保持され、上記ボックスの開口部を塞ぐフェースプレート
を備えていることを特徴とするエレベータ用表示器。
【請求項２】
上記ヒンジは、支持軸を有し上記ボックス内に設けられたキャッチと、上記表示器本体に設けられ、上記支持軸に対して着脱可能なラッチとを有し、
上記表示器本体は、上記ラッチが上記支持軸に回動可能に取り付けられることにより、上記ボックス内に回動可能に設けられることを特徴とする請求項１に記載のエレベータ用表示器。
【発明の詳細な説明】
【技術分野】
【０００１】
この発明は、例えば乗場やかご内の壁等に設けられるエレベータ用表示器に関するものである。
【背景技術】
【０００２】
従来、ケースの開口部を覆うカバーの表面にねじ等が露出することを防止するために、ケースの内面からピンを突出させるとともに、カバーの裏面にくの字に形成した弾性体を設け、カバーをケースの開口部に向けて押しながら弾性体をピンに係合させることにより、ケースの開口部を覆う位置にカバーを保持するようにしたエレベータ用器具箱が提案されている。従来のエレベータ用器具箱は、位置表示器等を内部に収容した状態で乗場壁に取り付けられる（例えば特許文献１参照）。
【先行技術文献】
【特許文献】
【０００３】
【特許文献１】実公昭６２−３２２１６号公報
【発明の概要】
【発明が解決しようとする課題】
【０００４】
しかし、従来のエレベータ用器具箱では、ケースがエレベータの乗場壁に傾いて取り付けられた場合には、ケース内に収納された位置表示器等や、ケースの開口部を覆うカバーも、ケースと同様に傾いてしまう。
【０００５】
この発明は、上記のような課題を解決するためになされたものであり、ボックスの傾きにかかわらず、表示器本体及びフェースプレートのそれぞれの傾きを調整することができるエレベータ用表示器を得ることを目的とする。
【課題を解決するための手段】
【０００６】
この発明に係るエレベータ用表示器は、開口部が設けられたボックス、ボックス内に設けられたヒンジ、ヒンジによりボックス内に回動可能に設けられた表示器本体、表示器本体の下部から突出し、表示器本体からの突出量を調整することにより、ボックスに対して表示器本体を回動させてボックスに対する表示器本体の傾きを調整する調整部材、及び表示器本体に保持され、ボックスの開口部を塞ぐフェースプレートを備えている。
【発明の効果】
【０００７】
この発明に係るエレベータ用表示器によれば、表示器本体からの調整部材の突出量を調整することにより、ボックスに対する表示器本体の傾きを調整するので、ボックスの傾きにかかわらず、表示器本体、及び表示器本体に保持されたフェースプレートのそれぞれの傾きを調整することができる。
【図面の簡単な説明】
【０００８】
【図１】この発明の実施の形態１によるエレベータの乗場出入口を示す正面図である。
【図２】図１の表示器を示す斜視図である。
【図３】図２の表示器内が露出された状態を示す斜視図である。
【図４】図２のフェースプレートを示す正面図である。
【図５】図４のフェースプレートを下方から見たときの平面図である。
【図６】この発明の実施の形態２による表示器のフェースプレートを外した状態を示す斜視図である。
【発明を実施するための形態】
【０００９】
実施の形態１．
図１は、この発明の実施の形態１によるエレベータの乗場出入口を示す正面図である。乗場壁１には、一対の乗場の戸２により開閉される乗場出入口３が設けられている。また、乗場壁１には、エレベータの運転に関する情報を表示するエレベータ用表示器４（以下、単に「表示器４」という）が取り付けられている。この例では、かごが存在する階を示す数字と、かごの移動方向を示す矢印とが表示器４に表示される。表示器４は、乗場出入口３の側方に配置されている。
【００１０】
図２は、図１の表示器４を示す斜視図である。また、図３は、図２の表示器４内が露出された状態を示す斜視図である。図において、表示器４は、特に図３に示すように、開口部５ａが設けられたボックス５と、ボックス５内に設けられたヒンジ６と、ヒンジ６によりボックス５内に回動可能に設けられた表示器本体７と、表示器本体７に設けられ、ボックス５に対する表示器本体７の傾きを調整する調整ボルト（調整部材）８と、表示器本体７に保持され、ボックス５の開口部５ａを塞ぐフェースプレート９（図２）とを有している。
【００１１】
乗場壁１には、乗場側に開放された空間部が設けられている。ボックス５は、開口部５ａを乗場に向けた状態で乗場壁１の空間部内に設置されている。また、ボックス５は、乗場壁１内の固定プレート（図示せず）に溶接等により取り付けられている。
【００１２】
ボックス５は、上板と、下板と、一対の縦板と、背板とにより構成された直方体状の容器である。上板及び下板は、ボックス５の高さ方向について互いに対向している。一対の縦板は、ボックス５の幅方向について互いに対向している。開口部５ａは、上板、下板及び各縦板に囲まれて形成されている。背板は、ボックス５の奥行き方向後端部で開口部５ａに面して配置されている。
【００１３】
ヒンジ６は、ボックス５内の幅方向一方側の上部（図３のボックス５内の左側の上部）に設けられている。この例では、ボックス５を構成する板のうち、一方の縦板の上部にヒンジ６が取り付けられている。ヒンジ６には、表示器本体７の幅方向一端部の上部が取り付けられている。これにより、表示器本体７は、ヒンジ６を介してボックス５に回動可能に取り付けられている。
【００１４】
ヒンジ６は、ボックス５にねじ等で取り付けられた第１の取付金具（第１の取付部材）１１と、表示器本体７がねじ等で取り付けられた第２の取付金具（第２の取付部材）１２と、第１の取付金具１１に対して第２の取付金具１２を回動可能に連結する共通の支持軸１３とを有している。
【００１５】
支持軸１３は、ボックス５の奥行き方向に沿って設けられている。表示器本体７は、支持軸１３を中心にボックス５に対して回動可能になっている。
【００１６】
表示器本体７は、ヒンジ６に取り付けられたパネル支持部材２１と、パネル支持部材２１に支持され、エレベータの運転に関する情報（この例では、かごが存在する階を示す数字、及びかごの移動方向を示す矢印）を表示する矩形状の表示パネル３１とを有している。
【００１７】
表示パネル３１は、表示面を開口部５ａに向けてパネル支持部材２１に支持されている。表示パネル３１としては、例えば液晶パネル等が用いられている。
【００１８】
パネル支持部材２１は、ボックス５の奥行き方向に対して垂直に配置される矩形状のパネル取付板２１ａと、パネル取付板２１ａの上縁部から開口部５ａに向けて突出し、パネル取付板２１ａの幅方向に沿って配置された上部突出板２１ｂと、パネル取付板２１ａの下縁部から開口部５ａに向けて突出し、パネル取付板２１ａの幅方向に沿って配置された下部突出板２１ｃとを有している。表示パネル３１は、パネル取付板２１ａに取り付けられている。
【００１９】
パネル支持部材２１の上部には、パネル支持部材２１の幅方向中央位置で上部突出板２１ｂから上方へ突出する上部スタッドねじ（上部突出部材）２２が設けられている。パネル支持部材２１の下部には、パネル支持部材２１の幅方向中央位置で下部突出板２１ｃから下方へ突出する下部スタッドねじ（下部突出部材）２３が設けられている。
【００２０】
下部突出板２１ｃには、調整ボルト８が螺合されるねじ穴（図示せず）が下部スタッドねじ２３の位置から離して設けられている。調整ボルト８は、下部突出板２１ｃのねじ穴に螺合されることにより、表示器本体７の下部に設けられている。調整ボルト８は、ヒンジ６の位置に対して表示器本体７の幅方向へずらして設けられている。この例では、表示器本体７の幅方向他端部（即ち、表示器本体７の幅方向についてヒンジ６が取り付けられた端部と反対側の端部）の下部に調整ボルト８が設けられている。調整ボルト８は、ボックス５に対する表示器本体７の回動に応じてボックス５に対して上下方向へ変位される。
【００２１】
調整ボルト８は、パネル支持部材２１の下部から下方へ突出した状態で表示器本体７に設けられている。表示器本体７からの調整ボルト８の突出量は、調整ボルト８を回すことにより調整可能になっている。
【００２２】
ボックス５内の幅方向他方側の下部（図３のボックス５内の右側の下部）には、調整ボルト８を受ける受け板（受け部材）４１が設けられている。即ち、ボックス５内には、表示器本体７に対する調整ボルト８の取付位置に合わせて、調整ボルト８を受ける受け板４１が設けられている。
【００２３】
受け板４１には、調整ボルト８の先端部（下端部）が挿入されるボルト挿入溝４２がボックス５の幅方向に沿って設けられている。調整ボルト８は、ボルト挿入溝４２に先端部が挿入された状態で、受け板４１に載せられている。ボックス５に対する調整ボルト８の下方への変位は、調整ボルト８の先端部が受け板４１に載せられることにより阻止される。表示器本体７は、調整ボルト８が受け板４１に載せられることによりボックス５内に保持されている。
【００２４】
受け板４１には、ボックス５の下板から上方へ突出する固定用スタッドねじが挿入される長穴が設けられている。ボックス５に対する受け板４１の位置は、長穴内での固定用スタッドねじの位置の調整により調整される。受け板４１は、固定用スタッドねじに螺合されたナット４３で締め付けられることにより、ボックス５の下板に固定されている。
【００２５】
表示器本体７の下部からの調整ボルト８の突出量が変化すると、調整ボルト８の突出量の変化に応じて、ヒンジ６を中心とするボックス５に対する表示器本体７の回動量が変化する。表示器本体７の傾きは、ボックス５に対する表示器本体７の回動により調整される。即ち、ボックス５に対する表示器本体７の傾きは、パネル支持部材２１の下部からの調整ボルト８の突出量を調整して表示器本体７をボックス５に対して回動させることにより、調整可能になっている。
【００２６】
図４は、図２のフェースプレート９を示す正面図である。また、図５は、図４のフェースプレート９を下方から見たときの平面図である。図において、フェースプレート９は、ボックス５の開口部５ａよりも大きな矩形状のカバー板５１と、カバー板５１の裏面に設けられ、フェースプレート９を表示器本体７に保持させるための保持手段である弾性体５２及び案内板５３とを有している。
【００２７】
カバー板５１の中央部には、ボックス５外から表示パネル３１を視認可能にするための矩形状の窓部（開口部）５４が設けられている。窓部５４は、透明板５５で塞がれている。表示パネル３１の表示面のうち、窓部５４内の範囲の部分が表示器４の表示範囲とされる。
【００２８】
弾性体５２は、線状部材を曲げて形成されている。また、弾性体５２は、カバー板５１の裏面に対して傾斜する第１の傾斜部と、第１の傾斜部の端部から逆方向へ傾斜する第２の傾斜部と、第２の傾斜部の端部から曲げ戻された返り部とを有している。弾性体５２は、下部スタッドねじ２３に弾性変形しながら係合される。
【００２９】
案内板５３は、カバー板５１の裏面から垂直に突出している。案内板５３には、上部スタッドねじ２２が挿入される案内溝５６が案内板５３の突出方向に沿って設けられている。案内板５３は、上部スタッドねじ２２が案内溝５６に挿入された状態で、上部スタッドねじ２２に係合される。
【００３０】
フェースプレート９は、弾性体５２を下部スタッドねじ２３に接触させ、案内板５３の案内溝５６に上部スタッドねじ２２を挿入した状態で、ボックス５の開口部５ａに向けてカバー板５１を押して、弾性体５２を下部スタッドねじ２３に弾性変形させながら係合させることにより、表示器本体７に保持される。また、フェースプレート９は、幅方向及び高さ方向を表示器本体７の幅方向及び高さ方向と一致させて表示器本体７に保持される。
【００３１】
次に、乗場壁１に対して表示器４を取り付けるときの手順について説明する。ボックス５内には、ヒンジ６をねじ等で、受け板４１をナット４３で、それぞれ予め取り付けておく。また、パネル支持部材２１のねじ穴に調整ボルト８を螺合して、表示器本体７の下部に調整ボルト８を予め設けておく。
【００３２】
この後、開口部５ａを乗場に向けた状態でボックス５を乗場壁１の空間部に設置する。このとき、空間部内の固定プレートにボックス５を溶接等により固定する（ボックス設置工程）。
【００３３】
この後、ボックス５内のヒンジ６に表示器本体７をねじ等で取り付ける。これにより、表示器本体７は、ボックス５内でヒンジ６の支持軸１３を中心に回動可能になる（表示器本体取付工程）。
【００３４】
この後、表示器本体７を回動させて調整ボルト８を受け板４１の上方に離し、調整ボルト８をスパナ等で回して表示器本体７の下部からの調整ボルト８の突出量を調整する（本調整工程）。
【００３５】
この後、表示器本体７を回動させて調整ボルト８の先端部を受け板４１のボルト挿入溝４２に挿入し、調整ボルト８の先端部をボルト挿入溝４２の内面に接触させる。これにより、調整ボルト８が受け板４１に載せられ、表示器本体７がボックス５内に保持される（表示器本体保持工程）。
【００３６】
上記の表示器本体保持工程で、表示器本体７が乗場の床面に対して傾いている（即ち、表示器本体７が水平に配置されていない）場合には、調整ボルト８を受け板４１に載せたまま、調整ボルト８をスパナ等で回して表示器本体７の下部からの調整ボルト８の突出量を微調整することにより、表示器本体７が乗場の床面と平行になるように、ボックス５に対する表示器本体７の回動量を微調整する（微調整工程）。
【００３７】
この後、フェースプレート９を表示器本体７に保持させ、ボックス５の開口部５ａをフェースプレート９で塞ぐ。このとき、フェースプレート９は、弾性体５２を表示器本体７の下部スタッドねじ２３に接触させ、案内板５３の案内溝５６に上部スタッドねじ２２を挿入させた状態で、ボックス５に近づく方向へカバー板５１を押すことにより、表示器本体７に保持させる。ボックス５の開口部５ａ及び乗場壁１の空間部の開放部分は、表示器本体７に保持されたフェースプレート９で塞がれる（フェースプレート取付工程）。
【００３８】
このような表示器４では、表示器本体７がヒンジ６によりボックス５内に回動可能に設けられているとともに、フェースプレート９が表示器本体７に保持され、表示器本体の下部から突出する調整ボルト８の突出量を調整することにより、ボックス５に対して表示器本体７を回動させるようになっているので、ボックス５の傾きにかかわらず、表示器本体７からの調整ボルト８の突出量を調整することにより、ボックス５に対する表示器本体７及びフェースプレート９のそれぞれの傾きを調整することができる。これにより、ボックス５が床面に対して傾いている場合であっても、床面に対する表示器本体７及びフェースプレート９のそれぞれの傾きをボックス５とは別個に調整することができ、表示器本体７及びフェースプレート９のそれぞれを水平に設置することができる。
【００３９】
また、表示器本体７の回動量を調整する調整部材が調整ボルト８とされているので、調整ボルト８を回すことにより、調整ボルト８の突出量の微調整を容易にすることができ、ボックス５に対する表示器本体７の傾きの微調整を容易にすることができる。
【００４０】
なお、上記の例では、ボックス５内の幅方向一方側の上部に設けられたヒンジ６に表示器本体７の幅方向一端部の上部が取り付けられ、調整ボルト８が表示器本体７の幅方向他端部の下部に取り付けられているが、ヒンジ６と調整ボルト８との位置関係が、調整ボルト８の突出量の調整により表示器本体７がボックス５に対して回動される位置関係であればよいので、例えば、ボックス５内の幅方向一方側の下部に設けたヒンジ６に表示器本体７の幅方向一端部の下部を取り付けてもよいし、調整ボルト８を表示器本体７の幅方向中間部の下部に設けてもよい。
【００４１】
また、上記の例では、ヒンジ６がボックス５の一方の縦板に設けられているが、ボックス５の上板にヒンジ６を設けてもよいし、ボックス５の下板にヒンジ６を設けてもよい。
【００４２】
実施の形態２．
図６は、この発明の実施の形態２による表示器４のフェースプレート９を外した状態を示す斜視図である。図において、ヒンジ６は、ボックス５内の幅方向一方側の上部に設けられたキャッチ６１と、表示器本体７の幅方向一端部の上部に設けられ、キャッチ６１に着脱可能なラッチ６２とを有している。
【００４３】
キャッチ６１は、キャッチ取付板６１ａと、キャッチ取付板６１ａの上部に設けられた支持軸６１ｂとを有している。キャッチ取付板６１ａは、ボックス５の一方の縦板の上部にねじ等で取り付けられる。キャッチ６１は、キャッチ取付板６１ａが一方の縦板に取り付けられることによりボックス５内に設けられている。キャッチ６１がボックス５内に設けられている状態では、支持軸６１ｂがボックス５の奥行き方向に沿って配置されている。支持軸６１ｂの両端部には、フランジ部が設けられている。
【００４４】
ラッチ６２は、ラッチ取付板６２ａと、ラッチ取付板６２ａの上部に設けられ、キャッチ６１の支持軸６１ｂに対して着脱可能なハンガ部６２ｂとを有している。ラッチ取付板６２ａは、パネル支持部材２１の幅方向一端部の上部側面にねじ等で取り付けられる。ラッチ６２は、ラッチ取付板６２ａがパネル支持部材２１に取り付けられることにより表示器本体７に設けられている。
【００４５】
ハンガ部６２ｂには、支持軸６１ｂの外周面に合わせた内周面を持ち下方に開放された軸嵌め溝がキャッチ６１の支持軸６１ｂに沿って設けられている。支持軸６１ｂは、ハンガ部６２ｂの軸嵌め溝の開放部分を支持軸６１ｂに沿わせた状態でハンガ部６２ｂを支持軸６１ｂに押し付けることにより、軸嵌め溝内に嵌るようになっている。ハンガ部６２ｂが支持軸６１ｂに嵌っている状態では、支持軸６１ｂの両端部のフランジによって、ハンガ部６２ｂが支持軸６１ｂから外れることが防止される。ラッチ６２は、ハンガ部６２ｂの軸嵌め溝が支持軸６１ｂに嵌まった状態で、支持軸６１ｂに対して回動可能に取り付けられている。表示器本体７は、ラッチ６２が支持軸６１ｂに対して回動可能に取り付けられることにより、ボックス５内に回動可能に設けられる。他の構成は実施の形態１と同様である。
【００４６】
次に、乗場壁１に対して表示器４を取り付けるときの手順について説明する。ボックス５内には、キャッチ６１をねじ等で予め取り付けておく。また、表示器本体７には、ラッチ６２をねじ等で予め取り付けておく。さらに、パネル支持部材２１のねじ穴に調整ボルト８を螺合して、表示器本体７の下部に調整ボルト８を予め設けておく。
【００４７】
この後、実施の形態１と同様にして、ボックス５を乗場壁１の空間部に設置する（ボックス設置工程）。
【００４８】
この後、表示器本体７に取り付けているラッチ６２のハンガ部６２ｂをボックス５内のキャッチ６１の支持軸６１ｂに嵌めて、支持軸６１ｂにラッチ６２を回動可能に取り付ける。これにより、ヒンジ６が組み立てられる（ヒンジ組立工程）。この後の手順は、実施の形態１と同様である。
【００４９】
このような表示器４では、ボックス５内に設けられたキャッチ６１の支持軸６１ｂに、表示器本体７に設けられたラッチ６２のハンガ部６２ｂが着脱可能になっており、ハンガ部６２ｂは支持軸６１ｂに回動可能に取り付けられるので、キャッチ６１をボックス５内に取り付ける作業と、表示器本体７にラッチ６２を取り付ける作業とを、作業スペースを広く確保した状態で行うことができる。これにより、ボックス５内の狭いスペースでのねじ締め等の作業を行う必要がなくなり、表示器４の設置現場においてねじ締め等の作業をなくすこともできる。従って、表示器４の設置作業をさらに容易に行うことができ、表示器４の設置作業の効率向上を図ることができる。
【００５０】
なお、各上記実施の形態では、調整ボルト８を受ける受け板４１がボックス５内に設けられているが、調整ボルト８がボックス５の下板に載せられて表示器本体７がボックス５内に安定して保持されるのであれば、受け板４１はなくてもよい。
【００５１】
また、各上記実施の形態では、案内板５３が係合される上部突出部材と、弾性体５２が係合される下部突出部材とがいずれもねじ（上部スタッドねじ２２及び下部スタッドねじ２３）になっているが、案内板５３及び弾性体５２が係合されればよいので、上部突出部材及び下部突出部材のそれぞれは、ねじでなくてもよい。また、弾性体５２及び案内板５３のそれぞれの位置を入れ替えて配置していてもよい。
【００５２】
また、各上記実施の形態では、乗場壁１に設けられた表示器４にこの発明が適用されているが、かごの内壁に設けられたエレベータ用表示器にこの発明を適用してもよい。
【符号の説明】
【００５３】
５  ボックス、５ａ  開口部、６  ヒンジ、７  表示器本体、８  調整ボルト（調整部材）、９  フェースプレート、６１  キャッチ、６１ｂ  支持軸、６２  ラッチ。
【図１】
2013216465.tif 000003
【図２】
2013216465.tif 000004
【図３】
2013216465.tif 000005
【図４】
2013216465.tif 000006
【図５】
2013216465.tif 000007
【図６】
2013216465.tif 000008